(57)【特許請求の範囲】
【請求項１】
単一指向性のマイクユニットと、
このマイクユニットのための空間を内包するとともに該空間に通じる音口を有し前記マイクユニットの背面側に設けられた非金属材料で形成された空間部と、
この空間部が内包する空間内に設けられ前記マイクユニットから出力される音声信号に基づく高周波信号を輻射するためのヘリカルアンテナと、
を備えたことを特徴とするワイヤレスマイク。
【請求項２】
更に、前記マイクユニットから出力される音声信号を伝送するためのリード線を備え、このリード線を前記ヘリカルアンテナが内包する空間内に該ヘリカルアンテナに対して移動可能に挿通したことを特徴とする請求項１に記載のワイヤレスマイク。
【請求項３】
全体の形状がペン型であることを特徴とする請求項１または２に記載のワイヤレスマイク。
【発明の詳細な説明】
【０００１】
【発明の属する技術分野】
本発明は、ワイヤレスマイクに関し、特に、単一指向性のワイヤレスマイクに関する。
【０００２】
【従来の技術】
従来より、単一指向性のマイクユニットと高周波信号を輻射するためのヘリカルアンテナとを備えた単一指向性のワイヤレスマイクが知られている。このような単一指向性のワイヤレスマイクでは、所定の単一指向性を得るために、マイクユニットの背面側に空間および音口を設ける必要がある。また、ヘリカルアンテナは、効率よく輻射を行わせるために、面積の大きな金属部分等を避けた空間に設けたり、本体から突出させて設ける等の必要がある。
【０００３】
【発明が解決しようとする課題】
しかしながら、従来の単一指向性のワイヤレスマイクでは、マイクユニットとヘリカルアンテナに対して、それぞれ専用の空間が必要であるため、サイズが大きくなってしまうという問題点があった。
【０００４】
本発明は、このような実情に鑑みて為されたものであり、小型化されたワイヤレスマイクを提供することを目的としている。
【０００５】
【課題を解決するための手段】
上述した目的を達成するため、第１に、本発明のワイヤレスマイクは、単一指向性のマイクユニットと、このマイクユニットのための空間を内包するとともに該空間に通じる音口を有し前記マイクユニットの背面側に設けられた非金属材料で形成された空間部と、この空間部が内包する空間内に設けられ前記マイクユニットから出力される音声信号に基づく高周波信号を輻射するためのヘリカルアンテナと、を備えたことを特徴としており、ワイヤレスマイクの小型化を実現することができるという作用を有する。
【０００６】
第２に、本発明のワイヤレスマイクは、前記第１に記載のワイヤレスマイクにおいて、更に、前記マイクユニットから出力される音声信号を伝送するためのリード線を備え、このリード線を前記ヘリカルアンテナが内包する空間内に該ヘリカルアンテナに対して移動可能に挿通したことを特徴としており、輻射効率を高めることができるという作用を有する。
【０００７】
第３に、本発明のワイヤレスマイクは、前記第１または第２に記載のワイヤレスマイクにおいて、全体の形状がペン型であることを特徴としており、ワイシャツやスーツの胸ポケット等に容易に装着することができるという作用を有する。
【０００８】
【発明の実施の形態】
以下、本発明の一実施形態について図面を参照しながら詳細に説明する。
【０００９】
図１は、本発明の一実施形態に係るワイヤレスマイクの要部を示す正面図である。図２は、同ワイヤレスマイクの要部を示す縦断面図である。図１および図２において、本実施形態に係るワイヤレスマイクの略円柱状の本体１は、金属材料で形成されたマイク部１０と、シールド作用を有しない非金属材料である樹脂材料で形成されマイク部１０の下方（後述するマイクユニット１１の背面側）に設けられた空間部２０と、樹脂材料で空間部２０と一体的に形成され該空間部２０の下方に設けられたクリップ取付部３０と、金属材料で形成されクリップ取付部３０の下方に設けられた本体ケース部４０とを備えている。このワイヤレスマイクは、全体の形状としてはペン型となっている。
【００１０】
マイク部１０には、金属材料等で形成された単一指向性のマイクユニット（例えば、エレクトレット・コンデンサ・マイクロフォン）１１が設けられている。また、金属材料で形成されたキャップ１２がマイクユニット１１を包囲するように設けられている。更に、マイクユニット１１の前面側には、金属材料で形成された保護用のネット１３がキャップ１２と一体的に設けられている。なお、金属材料で形成されたマイク部１０およびキャップ１２の替わりに、樹脂材料で形成されたものを用いるようにしてもよい。
【００１１】
マイクユニット１１の背面側の空間部２０には、該マイクユニット１１のための空間２１が内包されているとともに、該空間２１に通じる所定数の音口２２が設けられている。これらの空間２１および音口２２は、所定の単一指向性を得るためのものである。また、空間２１内には、マイクユニット１１から出力される音声信号に基づく高周波信号を輻射するためのヘリカルアンテナ２３が設けられている。更に、このヘリカルアンテナ２３を支持するための略円盤状のアンテナ基板２４が設けられている。
【００１２】
クリップ取付部３０には、金属材料で形成された板バネを備えたクリップ部３１が本体１から突出して取付けられている。このクリップ部３１により、ワイシャツやスーツの胸ポケット等に本実施形態に係るワイヤレスマイクを容易に装着することができる。また、本体ケース部４０には、樹脂材料で形成された操作パネル４１が設けられている。
【００１３】
更に、空間部２０の一部から本体ケース部４０に亘って、その内周面に沿って、樹脂材料で形成されアンテナ基板２４等の支持に用いられるシャーシ５１が設けられている。更にまた、クリップ取付部３０の一部から本体ケース部４０に亘って、その内部には、電気的な回路を構成するメイン基板５２が設けられている。
【００１４】
一方、空間部２０の空間２１内に設けられたヘリカルアンテナ２３は、図３（図２における矢印Ａ方向から見た図）および図４（斜視図）にも示すように、ステンレスまたはバネ用りん青銅からなる線材を所定回数（本実施形態では、５．５回）巻回することにより形成されたコイル状のものであり、前述したように、アンテナ基板（例えば、ガラスエポキシ基板）２４によって支持されている。このヘリカルアンテナ２３を構成する線材の一端は、アンテナケーブル２５およびコネクタ２６を介してメイン基板５２に接続されている。また、マイクユニット１１は、リード線１４を介してメイン基板５２に接続されている。このリード線１４は、マイクユニット１１から出力される音声信号を伝送するためのものであり、ヘリカルアンテナ２３が内包する空間内に該ヘリカルアンテナ２３に対して移動可能に挿通されている。更に、図４に示すように、アンテナ基板２４には、挿通されたリード線１４（ここでは、図示せず）を保持するためのスリット２７が設けられている。なお、メイン基板５２には、ヘリカルアンテナ２３のための接地パターン５３が設けられている。
【００１５】
このような構成を有する本実施形態のワイヤレスマイクによれば、ヘリカルアンテナ２３をマイクユニット１１のための空間２１に設けたこと（空間の共有）により、該ワイヤレスマイクを小型化することができる。また、ヘリカルアンテナ２３をマイクユニット１１のための空間２１に設けたことにより、ヘリカルアンテナ２３がマイクユニット１１に近接して配置されることになり、ヘリカルアンテナ２３がマイクユニット１１およびそのリード線１４に高周波的に結合し、輻射効率を高めることができる。具体的には、ヘリカルアンテナ２３が内包する空間内に挿通されているリード線１４の該ヘリカルアンテナ２３に対する位置を調整することにより、輻射効率を調整することができ、最高の輻射効率を得ることができる。
【００１６】
【発明の効果】
上述した説明から明らかなように、本発明によれば、ヘリカルアンテナをマイクユニットのための空間に設けたことにより、小型化されたワイヤレスマイクを提供することができるものである。
【図面の簡単な説明】
【図１】本発明の一実施形態に係るワイヤレスマイクの要部を示す正面図である。
【図２】同ワイヤレスマイクの要部を示す縦断面図である。
【図３】同ワイヤレスマイクにおけるヘリカルアンテナおよびその周辺を図２における矢印Ａ方向から見た状態を示す図である。
【図４】同ヘリカルアンテナおよびその周辺を示す斜視図である。
【符号の説明】
１１  マイクユニット
１４  リード線
２０  空間部
２１  空間
２２  音口
２３  ヘリカルアンテナ
２４  アンテナ基板
２７  スリット
【図１】
0004198895.tif 000002
【図２】
0004198895.tif 000003
【図３】
0004198895.tif 000004
【図４】
0004198895.tif 000005